【手続補正書】
【提出日】平成18年1月8日(2006.1.8)
【手続補正１】
【補正対象書類名】明細書
【補正対象項目名】発明の名称
【補正方法】変更
【補正の内容】
【発明の名称】インクジェット記録装置及び画像形成装置
【手続補正２】
【補正対象書類名】明細書
【補正対象項目名】特許請求の範囲
【補正方法】変更
【補正の内容】
【特許請求の範囲】
【請求項１】
記録ヘッドに対向する印写受け部材と、この印写受け部材に用紙を搬送する搬送ローラと、この搬送ローラ上の前記用紙を押さえる押さえコロと、前記印写受け部材上の用紙を押さえる用紙押さえ部材とを備えて、インターレース印字により所定の記録密度で画像を記録するインクジェット記録装置において、前記用紙が前記押さえコロと搬送ローラとの間に挟まれた状態で印写可能な領域に対応するすべての画像をインターレース印字により記録した後、前記用紙を前記押さえコロから外れて前記用紙押さえ部材だけで押さえられた状態まで搬送して画像の残りの部分を記録することを特徴とするインクジェット記録装置。
【請求項２】
記録ヘッドに対向する印写受け部材と、この印写受け部材に用紙を搬送する搬送ローラと、この搬送ローラ上の前記用紙を押さえる押さえコロと、前記印写受け部材上の用紙を押さえる用紙押さえ部材とを備えて、インターレース印字により所定の記録密度で画像を記録するインクジェット記録装置において、前記用紙が前記押さえコロと搬送ローラとの間に挟まれた状態で印写可能な領域のうちの用紙後端側微小領域に残した領域にすべての画像をインターレース印字により記録した後、前記用紙を前記押さえコロから外れて前記用紙押さえ部材だけで押さえられた状態まで搬送して前記微小領域に印写する画像部分を含めて画像の残りの部分を記録することを特徴とするインクジェット記録装置。
【請求項３】
請求項１又は２に記載のインクジェット記録装置において、前記用紙が前記用紙押さえ部材だけで押さえられている状態では最小限の用紙送りにて所定の記録密度で画像を記録することを特徴とするインクジェット記録装置。
【請求項４】
請求項１又は２に記載のインクジェット記録装置において、前記用紙が前記用紙押さえ部材だけで押さえられている状態では前記記録ヘッドの給紙側の１又は複数のノズルのみを使用して画像を記録することを特徴とするインクジェット記録装置。
【請求項５】
記録ヘッドに対向する印写受け部材と、この印写受け部材に用紙を搬送する搬送ローラと、この搬送ローラ上の前記用紙を押さえる押さえコロと、前記印写受け部材上の用紙を押さえる用紙押さえ部材とを備えて、インターレース印字により所定の記録密度で画像を記録する画像形成装置において、前記用紙が前記押さえコロと搬送ローラとの間に挟まれた状態で印写可能な領域に対応するすべての画像をインターレース印字により記録した後、前記用紙を前記押さえコロから外れて前記用紙押さえ部材だけで押さえられた状態まで搬送して画像の残りの部分を記録することを特徴とする画像形成装置。
【請求項６】
記録ヘッドに対向する印写受け部材と、この印写受け部材に用紙を搬送する搬送ローラと、この搬送ローラ上の前記用紙を押さえる押さえコロと、前記印写受け部材上の用紙を押さえる用紙押さえ部材とを備えて、インターレース印字により所定の記録密度で画像を記録する画像形成装置において、前記用紙が前記押さえコロと搬送ローラとの間に挟まれた状態で印写可能な領域のうちの用紙後端側微小領域に残した領域にすべての画像をインターレース印字により記録した後、前記用紙を前記押さえコロから外れて前記用紙押さえ部材だけで押さえられた状態まで搬送して前記微小領域に印写する画像部分を含めて画像の残りの部分を記録することを特徴とする画像形成装置。
【請求項７】
請求項５又は６に記載の画像形成装置において、前記用紙が前記用紙押さえ部材だけで押さえられている状態では最小限の用紙送りにて所定の記録密度で画像を記録することを特徴とする画像形成装置。
【請求項８】
請求項５又は６に記載の画像形成装置において、前記用紙が前記用紙押さえ部材だけで押さえられている状態では前記記録ヘッドの給紙側の１又は複数のノズルのみを使用して画像を記録することを特徴とする画像形成装置。
【手続補正３】
【補正対象書類名】明細書
【補正対象項目名】０００１
【補正方法】変更
【補正の内容】
【０００１】
【発明の属する技術分野】
本発明はインクジェット記録装置及び画像形成装置に関し、特に搬送ローラと押さえコロとの間から外れた用紙を押さえる用紙押さえ部材を備えているインクジェット記録装置及び画像形成装置に関する。
【手続補正４】
【補正対象書類名】明細書
【補正対象項目名】０００９
【補正方法】変更
【補正の内容】
【０００９】
本発明は上記の点に鑑みてなされたものであり、画像品質の低下を招くことなく広い記録可能領域を得られるインクジェット記録装置及び画像形成装置を提供することを目的とする。
【手続補正５】
【補正対象書類名】明細書
【補正対象項目名】００１０
【補正方法】変更
【補正の内容】
【００１０】
【課題を解決するための手段】
上記の課題を解決するため、本発明に係るインクジェット記録装置及び画像形成装置は、用紙が押さえコロと搬送ローラとの間に挟まれた状態で印写可能な領域に対応するすべての画像をインターレース印字により記録した後、用紙を押さえコロから外れて用紙押さえ部材だけで押さえられた状態まで搬送して画像の残りの部分を記録する構成としたものである。
【手続補正６】
【補正対象書類名】明細書
【補正対象項目名】００１１
【補正方法】変更
【補正の内容】
【００１１】
また、本発明に係るインクジェット記録装置及び画像形成装置は、用紙が押さえコロと搬送ローラとの間に挟まれた状態で印写可能な領域のうちの用紙後端側微小領域に残した領域にすべての画像をインターレース印字により記録した後、用紙を押さえコロから外れて用紙押さえ部材だけで押さえられた状態まで搬送して微小領域に印写する画像部分を含めて画像の残りの部分を記録する構成としたものである。
【手続補正７】
【補正対象書類名】明細書
【補正対象項目名】００１２
【補正方法】変更
【補正の内容】
【００１２】
これらの各インクジェット記録装置及び画像形成装置においては、用紙が用紙押さえ部材だけで押さえられている状態では最小限の用紙送りにて所定の記録密度で画像を記録することが好ましい。
【手続補正８】
【補正対象書類名】明細書
【補正対象項目名】００１３
【補正方法】変更
【補正の内容】
【００１３】
また、各インクジェット記録装置及び画像形成装置においては、用紙が用紙押さえ部材だけで押さえられている状態では記録ヘッドの給紙側の１又は複数のノズルのみを使用して画像を記録することが好ましい。
【手続補正９】
【補正対象書類名】明細書
【補正対象項目名】００１４
【補正方法】変更
【補正の内容】
【００１４】
【発明の実施の形態】
以下、本発明の実施の形態を添付図面を参照して説明する。図１は本発明に係る画像形成装置としてのインクジェット記録装置の機構部の概略斜視説明図、図２は同機構部の要部側面説明図、図３は同機構部の要部平面図である。
【手続補正１０】
【補正対象書類名】明細書
【補正対象項目名】００４０
【補正方法】変更
【補正の内容】
【００４０】
なお、上記実施形態においては、用紙押さえ手段として先端コロとねじりコイルバネを例にして説明したが、例えば用紙ガイドと用紙シートなどの組み合わせでもよく、また、押さえ部材はねじりコイルバネに限らず板バネなどでも良い。また、上述しインクジェット記録装置の構成は、前述したように、プリンタ、複写装置、ファクシミリ、プロッタ等の画像記録装置或いは画像形成装置としても同様に適用することができる。
【手続補正１１】
【補正対象書類名】明細書
【補正対象項目名】００４１
【補正方法】変更
【補正の内容】
【００４１】
【発明の効果】
以上説明したように、本発明に係るインクジェット記録装置及び画像形成装置によれば、用紙が押さえコロと搬送ローラとの間に挟まれた状態で印写可能な領域に対応するすべての画像をインターレース印字により記録した後、用紙を押さえコロから外れて用紙押さえ部材だけで押さえられた状態まで搬送して画像の残りの部分を記録するので、画像品質を確保しつつ用紙上での記録可能領域を広くすることができる。
【手続補正１２】
【補正対象書類名】明細書
【補正対象項目名】００４２
【補正方法】変更
【補正の内容】
【００４２】
また、本発明に係るインクジェット記録装置及び画像形成装置によれば、用紙が押さえコロと搬送ローラとの間に挟まれた状態で印写可能な領域のうちの用紙後端側微小領域に残した領域にすべての画像をインターレース印字により記録した後、用紙を押さえコロから外れて用紙押さえ部材だけで押さえられた状態まで搬送して微小領域に印写する画像部分を含めて画像の残りの部分を記録するので、より高い画像品質を確保しつつ用紙上での記録可能領域を広くすることができる。
【手続補正１３】
【補正対象書類名】明細書
【補正対象項目名】００４３
【補正方法】変更
【補正の内容】
【００４３】
これらの各インクジェット記録装置及び画像形成装置において、用紙が用紙押さえ部材だけで押さえられている状態では最小限の用紙送りにて所定の記録密度で画像を記録することにより、より高品位の画像を得ることができる。
【手続補正１４】
【補正対象書類名】明細書
【補正対象項目名】００４４
【補正方法】変更
【補正の内容】
【００４４】
また、各インクジェット記録装置及び画像形成装置においては、用紙が用紙押さえ部材だけで押さえられている状態では記録ヘッドの給紙側の１又は複数のノズルのみを使用して画像を記録することにより、より高品位の画像を得ることができる。